(57)【要約】【課題】部材の浮きを防止する押圧治具を提供する。【解決手段】本発明の押圧治具（１）は、第１部材（１１０）上に第２部材（１２０）が配置された積層体（１００）の第２部材（１２０）を、第１部材（１１０）側に押圧する押圧治具であって、押圧する方向に変形する弾性部材（１１）を備え、第２部材（１２０）の上側から見たときに、第２部材（１２０）の押圧面（１２１）の一部が露出する開口部（２）が設けられる。【選択図】図２
2020019068.tif 000002
【特許請求の範囲】
【請求項１】
第１部材上に第２部材が配置された積層体の前記第２部材を、前記第１部材側に押圧する押圧治具であって、
押圧する方向に変形する弾性部材を備え、
前記第２部材の上側から見たときに、前記第２部材の押圧面の一部が露出する開口部が設けられる、押圧治具。
【請求項２】
前記第２部材の押圧面を押圧する押え部を含み、
前記押え部は、前記弾性部材を有する、請求項１に記載の押圧治具。
【請求項３】
前記押え部は、前記弾性部材を支持する支持部をさらに有する、請求項２に記載の押圧治具。
【請求項４】
前記押え部は、前記弾性部材に取り付けられ、かつ前記第２部材の押圧面に接する押え板をさらに有する、請求項２または３に記載の押圧治具。
【請求項５】
前記押え部に接続され、前記押え部の押圧面から離れる方向に延び、荷重が加えられる押圧部をさらに備える、請求項２〜４のいずれか１項に記載の押圧治具。
【請求項６】
前記押え部は、押圧する方向からの力と、押圧する方向と交差する方向からの力を受ける押圧面を有する、請求項２〜５のいずれか１項に記載の押圧治具。
【請求項７】
前記弾性部材が前記第２部材の押圧面に接する、請求項１〜６のいずれか１項に記載の押圧治具。
【請求項８】
前記弾性部材は、バネである、請求項１〜７のいずれか１項に記載の押圧治具。
【請求項９】
前記弾性部材は、樹脂である、請求項１〜７のいずれか１項に記載の押圧治具。
【請求項１０】
前記積層体は、溶接されるものであり、
前記第２部材の上側から見たときに、前記第２部材の溶接領域が露出する、請求項１〜９のいずれか１項に記載の押圧治具。
【請求項１１】
前記第２部材の厚みは、０．０１ｍｍ以上０．５ｍｍ以下である、請求項１〜１０のいずれか１項に記載の押圧治具。
【発明の詳細な説明】
【技術分野】
【０００１】
本発明は、押圧治具に関する。
【背景技術】
【０００２】
２つの部材を押圧する押圧治具が知られている。このような押圧治具は、例えば、特開２００７−１０９９９０号公報（特許文献１）に開示されている。特許文献１には、アクチュエータのケースの開口部内に蓋体を配置した状態で、蓋体に荷重を付与するために、押圧治具が用いられることが開示されている。
【先行技術文献】
【特許文献】
【０００３】
【特許文献１】特開２００７−１０９９９０号公報
【発明の概要】
【発明が解決しようとする課題】
【０００４】
上記特許文献１において、押圧治具が蓋体に対して斜めに配置されると、押圧治具が蓋体に対して水平に荷重を付与できない場合がある。この場合、蓋体とケースとの間に浮きが発生する恐れがある。浮きが発生した状態で溶接が行われると、不良品となる。
【０００５】
本発明は、上記問題点に鑑み、部材の浮きを防止する押圧治具を提供する。
【課題を解決するための手段】
【０００６】
本発明の第１の観点からの押圧治具は、第１部材上に第２部材が配置された積層体の第２部材を、第１部材側に押圧する押圧治具であって、押圧する方向に変形する弾性部材を備え、第２部材の上側から見たときに、第２部材の押圧面の一部が露出する開口部が設けられる。
【発明の効果】
【０００７】
本発明は、部材の浮きを防止する押圧治具を提供することができる。
【図面の簡単な説明】
【０００８】
【図１】図１は、実施の形態における押圧治具を示す斜視図である。
【図２】図２は、実施の形態における押圧治具で積層体を押圧する状態を示す平面図である。
【図３】図３は、実施の形態における押圧治具で積層体を押圧する状態を示す側面図である。
【図４】図４は、変形例の押圧治具を示す斜視図である。
【図５】図５は、変形例における押圧治具で積層体を押圧する状態を示す平面図である。
【図６】図６は、比較例における押圧治具で積層体を押圧する状態を示す側面図である。
【発明を実施するための形態】
【０００９】
以下、図面に基づいて本発明の実施の形態を説明する。なお、以下の図面において同一または相当する部分には同一の参照符号を付しその説明は繰り返さない。
【００１０】
図１〜図３を参照して、本発明の一実施の形態である押圧治具について説明する。
【００１１】
図１に示す押圧治具１は、図２及び図３に示すように、第１部材１１０上に第２部材１２０が配置された積層体１００の第２部材１２０を、第１部材１１０側に押圧する押圧治具である。なお、第１部材１１０と第２部材１２０との間には、別の部材が配置されてもよく、図３に示すように別の部材が配置されていなくてもよい。
【００１２】
押圧治具１は、押圧する方向に変形する弾性部材１１を備える。押圧治具１には、第２部材１２０の上側（図３における上側）から見たときに、第２部材１２０の押圧面１２１の一部が露出する開口部２が設けられる。つまり、押圧する方向から見たときに、第２部材１２０の押圧面１２１の一部が露出する開口部２が押圧治具１に設けられる。本実施の形態では、第２部材１２０上に配置された押圧治具１の上側から見たときに、第２部材１２０の押圧面１２１の一部が露出する。
【００１３】
第２部材１２０の押圧面１２１とは、押圧治具１により押圧される面であり、最表面である。押圧面１２１は、平坦面でもよく、凹凸が形成されていてもよい。押圧面１２１は、処理領域と、非処理領域とを有する。本実施の形態では、処理領域が開口部２から露出する。処理領域とは、例えば溶接、接着などの処理がされる領域である。
【００１４】
詳細には、図１及び図２に示すように、押圧治具１は、押え部１０と、押圧部２０と、を備える。押圧部２０は、押え部１０に接続される。
【００１５】
押え部１０は、第２部材１２０の押圧面１２１を押圧する。押え部１０は、弾性部材１１と、支持部１２と、押え板１３とを含む。押え板１３上に、弾性部材１１が位置する。弾性部材１１上に、支持部１２が位置する。
【００１６】
弾性部材１１は、押圧する方向、すなわち第１部材１１０と第２部材１２０との積層方向に変形する。本実施の形態では、図３に示すように、上から下に向けて押圧するので、弾性部材は、少なくとも上下方向に変形する。本実施の形態では、弾性部材１１としてバネを用いる。バネは、耐熱性の高い材料で構成される。
【００１７】
支持部１２は、弾性部材１１を支持する。支持部１２は、押圧されても変形しない材料で構成される。
【００１８】
図１及び図２に示す支持部１２は、フォーク形状であり、基部１４と、複数の延伸部１５とを有する。複数の延伸部１５のそれぞれは、基部１４に接続される。延伸部１５は、基部１４と交差する方向、具体的には直交する方向に延びる。複数の延伸部１５のそれぞれは、互いに平行に延びる。
【００１９】
押え部１０は、押圧する方向からの力と、押圧する方向と交差する方向からの力を受ける押圧面１６を有する。本実施の形態では、延伸部１５において基部１４と反対側の端面が押圧面１６である。押圧面１６に嵌合する補助治具を用いることにより、押え部１０の押圧面１６は、押圧される。押圧面１６は、図２に示すように平坦面であってもよく、傾斜面、曲面などであってもよい。
【００２０】
押え板１３は、弾性部材１１に取り付けられる。押え板１３は、第２部材１２０の押圧面１２１に接する。押え板１３は、押圧されても変形しない材料で構成される。
【００２１】
押圧部２０には、荷重が加えられる。押圧部２０は、押圧する方向から見て、第２部材１２０の押圧面１２１と重ならない。
【００２２】
押圧部２０は、押え部１０の押圧面から離れる方向に延びる。具体的には、押圧部２０は押え部１０の延びる方向と反対側の方向に延びる。押え部１０がフォーク状である場合には、押圧部２０は、基部１４の中央に接続され、延伸部１５と反対側に延びる。
【００２３】
続いて、本実施の形態の押圧治具１を用いて、積層体１００を押圧する方法について説明する。
【００２４】
まず、第１部材１１０と、この第１部材１１０上に配置された第２部材１２０とを含む積層体１００を準備する。
【００２５】
第２部材１２０の押圧面１２１上に、押圧治具１を配置する。この工程では、図１に示すように、押圧面１２１の処理領域が露出するように、押圧治具１を配置する。
【００２６】
次に、押圧治具１を用いて、第２部材１２０を第１部材１１０側に押圧する。具体的には、押圧部２０に荷重を加える。押圧部２０に加えられた荷重は、押え部１０に伝達されるので、第２部材１２０を第１部材１１０側に押圧できる。積層体１００が第１部材１１０及び第２部材１２０の２層からなる場合には、押圧治具１による押圧によって、第１部材１１０と第２部材１２０とを接触させることができる。
【００２７】
この工程において、図３に示すように、押圧治具１が第２部材１２０に対して斜めに配置された状態で押圧しても、弾性部材１１が押圧する方向に変形する。このため、押圧治具１は、第２部材１２０を、第２部材１２０の押圧面１２１に追従して押さえることができる。したがって、押圧治具１は、第１部材１１０と第２部材１２０との浮きを防止できる。
【００２８】
なお、図６に示すように、弾性部材１１を備えていない押圧治具１が第２部材１２０に対して斜めに配置された状態で押圧すると、荷重が加えられる押圧部２０から離れたところに、第１部材１１０と第２部材１２０との浮きが発生する。
【００２９】
このように押圧治具１によって押圧された積層体１００において、開口部２から露出する領域に対して、溶接、接着などの処理が可能である。つまり、押圧治具１によって、第１部材１１０と第２部材１２０との浮きを防止して積層体１００を押圧した状態で、露出する領域に対して、溶接、接着などの処理をできる。処理は、第２部材１２０側から行われる。溶接は、例えば、開口部２から露出する押圧面１２１に向けて、上方からレーザ光を照射する。接着は、例えば、開口部２から露出する押圧面１２１にディスペンサーで接着剤を注入する。
【００３０】
第２部材１２０における開口部２から露出する領域は、溶接領域、接着領域などの処理領域を含み、第２部材１２０における押圧治具１で覆われる領域は、非処理領域である。積層体１００は、溶接されるものであり、第２部材１２０の上側から見たときに、第２部材１２０の溶接領域が露出する開口部２が押圧治具１に設けられることが好ましい。
【００３１】
なお、押圧治具１において、押圧部２０が省略されてもよい。この場合、押圧治具１を用いて、第２部材１２０を第１部材１１０側に押圧する工程では、押え部１０に荷重を加える。押圧治具１が押圧部２０を備える場合には、押え部１０において、押圧部２０に相対的に遠い部分は、押圧部２０に加えられた荷重が伝わりにくいので、変形しにくい。このため、押え部１０において、押圧部２０に相対的に近い部分に荷重が集中しても、押圧治具１が積層体１００から浮くことをより抑制できる。
【００３２】
また、押圧治具１を用いて、第２部材１２０を第１部材１１０側に押圧する工程の前に、押え部１０の押圧面１６を、補助治具により押圧してもよい。これにより、押圧治具１を用いて積層体１００を押圧する際に、押圧面１６側の押圧治具１の積層体１００からの浮きを防止できる。このため、第１部材１１０と第２部材１２０との浮きを防止して、押圧治具１により積層体１００を押圧できる。また、押圧方向から押すのではなく、押圧面１６の外周側から押え部１０を押えることができるので、開口部２の上方での処理の邪魔にならない。
【００３３】
このように、本実施の形態の押圧治具１によれば、押圧治具１が第２部材１２０に対して斜めに配置されても、第２部材１２０にならうように押えることができるので、第１部材１０と第２部材１２０との浮きを防止して位置決めが可能である。積層体１００の形状に合わせて押圧治具１の開口部２を設けることで、押圧治具１を広範囲に用いることができる。
【００３４】
特に、本実施の形態の押圧治具１は、第１部材１１０に対して第２部材１２０が浮きやすい部材、変形しやすい部材、微細な部品であっても、積層体１００を容易に固定できる。例えば、第２部材１２０の厚みは、例えば０．０１ｍｍ以上０．５ｍｍ以下であり、好ましくは０．０１ｍｍ以上０．１ｍｍ以下である。また、第２部材１２０は、医療機器、時計などで使用されるような微細（例えば２ｍｍ以上３ｍｍ以下）な歯車、シャフト、スリーブ、クランク、カム、コネクタ電極等を構成する部材であってもよい。また、第１部材１１０及び第２部材１２０は、スマートフォン、スマートウォッチなどに搭載される振動モータを構成する部材であってもよい。
【００３５】
（変形例）
上述した実施の形態では、積層体１００の積層方向に押圧する押圧治具１を例に挙げて説明した。本発明の押圧治具が押圧する方向は、特に限定されない。
【００３６】
また、実施の形態では、第２部材１２０上に押圧治具１を配置して積層体１００を押圧するが、押圧治具１の配置は、特に限定されない。例えば、積層体１００の側面に押圧治具１を配置してもよい。
【００３７】
また、実施の形態では、弾性部材１１がバネである押圧治具１を例に挙げて説明した。本発明の弾性部材は、押圧する方向に変形する材料であれば、特に限定されず、例えば、樹脂、ゴム、発泡体などが挙げられる。この場合、図４及び図５に示すように、弾性部材１１は、例えばシート状である。
【００３８】
弾性部材１１の厚みは一定でもよく、異なってもよい。後者の場合、例えば、延伸部１５の押圧面１６側に位置する弾性部材１１の厚みは、基部１４側に位置する弾性部材１１の厚みよりも大きい。
【００３９】
また、上述した実施の形態では、押え板１３が第２部材１２０の押圧面１２１に接する押圧治具１を例に挙げて説明した。本発明の押圧治具は、押え板１３を省略してもよい。すなわち、押圧治具は、弾性部材１１が第２部材１２０の押圧面１２１に接する構造であってもよい。
【００４０】
また、支持部１２の形状は、第２部材１２０の押圧面の一部を露出する形状であれば、種々の形状を採用できる。また、本発明の押圧部材は、支持部１２を省略してもよい。
【００４１】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００４２】
１  押圧治具、２  開口部、１０  押え部、１１  弾性部材、１２  支持部、１３  押え板、１４  基部、１５  延伸部、１６  押圧面、２０  押圧部、１００  積層体、１１０  第１部材、１２０  第２部材、１２１  押圧面。
【図１】
2020019068.tif 000003
【図２】
2020019068.tif 000004
【図３】
2020019068.tif 000005
【図４】
2020019068.tif 000006
【図５】
2020019068.tif 000007
【図６】
2020019068.tif 000008